(57)【要約】【課題】製造性に優れる上に放熱性にも優れるリアクトル、及びその製造方法を提供する。【解決手段】コイルと、前記コイルの内外に配置されて閉磁路を形成する磁性コアとを備え、前記磁性コアは、軟磁性粉末と樹脂とを含む複合材料から構成された一体成形体であり、前記コイルは、その外周面の少なくとも一部が前記磁性コアに覆われずに露出された露出領域を備えるリアクトル。【選択図】図１
2017011186.tif 000002
【特許請求の範囲】
【請求項１】
コイルと、
前記コイルの内外に配置されて閉磁路を形成する磁性コアとを備え、
前記磁性コアは、軟磁性粉末と樹脂とを含む複合材料から構成された一体成形体であり、
前記コイルは、その外周面の少なくとも一部が前記磁性コアに覆われずに露出された露出領域を備えるリアクトル。
【請求項２】
前記露出領域は、前記コイルの設置面を含む請求項１に記載のリアクトル。
【請求項３】
前記磁性コアは、前記コイル内に配置される内側コア部と、前記コイルが配置されない外側コア部とを備え、
前記コイルと前記内側コア部との間に介在される絶縁介在部を備える請求項１又は請求項２に記載のリアクトル。
【請求項４】
前記磁性コアは、前記コイル内に配置される内側コア部と、前記コイルが配置されない外側コア部とを備え、
前記外側コア部は、その外周面が前記内側コア部の外周面よりも突出する突出箇所を備える請求項１〜請求項３のいずれか１項に記載のリアクトル。
【請求項５】
前記露出領域に配置された放熱部材を備える請求項１〜請求項４のいずれか１項に記載のリアクトル。
【請求項６】
前記コイルは、隣り合うターン同士を接合する熱融着樹脂部を備える請求項１〜請求項５のいずれか１項に記載のリアクトル。
【請求項７】
前記露出領域に配置された放熱部材を備え、
前記コイルは、前記放熱部材を接合する熱融着樹脂部を備える請求項１〜請求項６のいずれか１項に記載のリアクトル。
【請求項８】
前記磁性コアは、前記コイル内に配置される内側コア部と、前記コイルが配置されない外側コア部と、前記外側コア部に設けられるギャップ部とを備える請求項１〜請求項７のいずれか１項に記載のリアクトル。
【請求項９】
前記複合材料における前記軟磁性粉末の含有量が３０体積％以上８０体積％以下である請求項１〜請求項８のいずれか１項に記載のリアクトル。
【請求項１０】
コイルと、前記コイルの内外に配置されて閉磁路を形成する磁性コアとを備えるリアクトルを製造するリアクトルの製造方法であって、
前記リアクトルは、請求項１〜請求項９のいずれか１項に記載のリアクトルであり、
前記一体成形体を射出成形により形成する成形工程を備えるリアクトルの製造方法。
【請求項１１】
筒状部を備える絶縁介在部と前記コイルとを組み付けて、前記コイルの内周面を前記筒状部で覆った組物を準備し、
前記成形工程では、前記筒状部内に前記複合材料を充填する請求項１０に記載のリアクトルの製造方法。
【請求項１２】
前記コイルとして、隣り合うターン同士が熱融着樹脂によって接合されたものを準備し、
前記成形工程では、準備した前記コイル内に前記複合材料を充填する請求項１０に記載のリアクトルの製造方法。
【発明の詳細な説明】
【技術分野】
【０００１】
本発明は、ハイブリッド自動車などの車両に搭載される車載用ＤＣ−ＤＣコンバータといった電力変換装置の構成部品などに利用されるリアクトル及びその製造方法に関する。特に、製造性に優れる上に放熱性にも優れるリアクトルに関するものである。
【背景技術】
【０００２】
電圧の昇圧動作や降圧動作を行う回路の部品の一つに、リアクトルがある。特許文献１は、車載コンバータ用のリアクトルとして、巻線を螺旋状に巻回した一対の巻回部を備えるコイルと、巻回部の内外に配置される環状の磁性コアとを備えるものを開示している。この磁性コアは、軟磁性粉末と樹脂とを含む複合材料から構成される複数のコア片を接着剤などで接合して環状に組み付けて形成される。
【先行技術文献】
【特許文献】
【０００３】
【特許文献１】特開２０１４−１４６６５６号公報
【発明の概要】
【発明が解決しようとする課題】
【０００４】
上述のように複数のコア片を接着剤などで接合して形成される磁性コアを備えるリアクトルでは、組立部品点数が多く、工程数が多くなるため、リアクトルの製造性の低下を招く。従って、リアクトルの製造性の向上が望まれる。
【０００５】
また、車載用リアクトルでは、使用時にコイルが高温になるため、放熱性に優れることも望まれる。
【０００６】
そこで、本発明の目的の一つは、製造性に優れる上に放熱性にも優れるリアクトルを提供することにある。本発明の他の目的は、放熱性に優れるリアクトルを容易に製造できるリアクトルの製造方法を提供することにある。
【課題を解決するための手段】
【０００７】
本発明の一態様に係るリアクトルは、コイルと、前記コイルの内外に配置されて閉磁路を形成する磁性コアとを備える。
前記磁性コアは、軟磁性粉末と樹脂とを含む複合材料から構成された一体成形体である。
前記コイルは、その外周面の少なくとも一部が前記磁性コアに覆われずに露出された露出領域を備える。
【０００８】
本発明の一態様に係るリアクトルの製造方法は、コイルと、前記コイルの内外に配置されて閉磁路を形成する磁性コアとを備えるリアクトルを製造する方法に係るものであり、前記リアクトルは、前記本発明の一態様に係るリアクトルであり、前記一体成形体を射出成形により形成する成形工程を備える。
【発明の効果】
【０００９】
上記のリアクトルは、製造性に優れる上に放熱性にも優れる。上記のリアクトルの製造方法は、放熱性に優れるリアクトルを容易に製造できる。
【図面の簡単な説明】
【００１０】
【図１】実施形態１のリアクトルを示す概略斜視図である。
【図２】実施形態１のリアクトルに備える磁性コアの平面図である。
【図３】実施形態１のリアクトルに備える磁性コアの側面図である。
【図４】実施形態１のリアクトルに備えるコイルと絶縁介在部との分解斜視図である。
【図５】実施形態２のリアクトルを示す概略斜視図である。
【図６】実施形態２のリアクトルに備える磁性コアの平面図である。
【図７】実施形態２のリアクトルに備える磁性コアを図５に示す（ＶＩＩ）−（ＶＩＩ）切断線で切断した断面図である。
【図８】実施形態２のリアクトルに備えるコイルと絶縁介在部との分解斜視図である。
【発明を実施するための形態】
【００１１】
［本発明の実施の形態の説明］
最初に本発明の実施形態を列記して説明する。
（１）本発明の一態様に係るリアクトルは、コイルと、上記コイルの内外に配置されて閉磁路を形成する磁性コアとを備える。
上記磁性コアは、軟磁性粉末と樹脂とを含む複合材料から構成された一体成形体であり、
上記コイルは、その外周面の少なくとも一部が上記磁性コアに覆われずに露出された露出領域を備える。
【００１２】
上記のリアクトルは、磁性コアが一体成形体であるため、組立部品点数が少なく、接着剤による接合などの工程が不要であり、工程数を少なくできて製造性に優れる。また、軟磁性粉末と樹脂とを含む複合材料（以下、軟磁性複合材料と呼ぶことがある）は形状の自由度が高く、所望の形状、大きさの磁性コアを容易に成形できることからも、上記のリアクトルは、製造性に優れる。
【００１３】
かつ、上記のリアクトルは、コイルの外周面の少なくとも一部を磁性コアから積極的に露出させてコイルの露出領域を放熱領域とし、コイルが磁性コア内に埋設されて、コイルの外周面の実質的に全域が磁性コアに覆われた構成としない。そのため、上記のリアクトルは、コイルの熱を外部に容易に伝えられて放熱性に優れる。例えば、リアクトルに液体冷媒を供給してリアクトルを直接冷却する冷却構造を備える設置対象や、リアクトルに冷却部材を接触させて又は近接させてリアクトルを冷却する冷却構造を備える設置対象などに上記のリアクトルが取り付けられる場合には、露出領域からの放熱を十分に行えて放熱性をより高められる。コイルの露出領域が大きいほど放熱性を高められて好ましい。
【００１４】
（２）上記のリアクトルの一例として、上記露出領域が上記コイルの設置面を含む形態が挙げられる。コイルの設置面とは、コイルにおけるリアクトルの設置対象に向かい合って配置される面とする。
【００１５】
コイルの設置面は、設置対象に接して又は近接して配置されるため、設置対象に放熱できる。従って、上記形態は、コイルの設置面を放熱領域とすることができ、放熱領域が十分に広く放熱性により優れる。特に、上記の形態は、上述の冷却構造を備える設置対象に取り付けられた場合には、コイルの設置面から設置対象に十分に放熱できて放熱性に更に優れる。
【００１６】
（３）上記のリアクトルの一例として、上記磁性コアは上記コイル内に配置される内側コア部と上記コイルが配置されない外側コア部とを備え、上記コイルと上記内側コア部との間に介在される絶縁介在部を備える形態が挙げられる。
【００１７】
上記形態は、絶縁介在部を備えるため、コイルと磁性コアとの間の絶縁性を高められる。また、上記形態は、製造過程において絶縁介在部を内側コア部の成形型に利用でき、軟磁性複合材料の原料とする軟磁性粉末と樹脂とを含む混合物（代表的には流動性を有する溶融物。以下、原料混合物と呼ぶことがある）を直接コイル内に充填する場合に比較して充填し易く、製造性により優れる。更に、絶縁介在部を原料混合物の充填時におけるコイルの保護材や保形材としても利用でき、コイルの損傷、変形を防止して歩留りの低下を低減できることからも、上記形態は、製造性により優れる。
【００１８】
（４）上記のリアクトルの一例として、上記磁性コアは上記コイル内に配置される内側コア部と上記コイルが配置されない外側コア部とを備え、上記外側コア部は、その外周面が上記内側コア部の外周面よりも突出する突出箇所を備える形態が挙げられる。
【００１９】
上記形態は、突出箇所を有することで磁性コアの表面積が大きくなり易く、放熱性により優れる。突出箇所が設置面に接する又は近接配置される場合には、突出箇所からも設置対象に放熱できて、放熱性により優れる。
【００２０】
（５）上記のリアクトルの一例として、上記露出領域に配置された放熱部材を備える形態が挙げられる。
【００２１】
上記形態は、放熱部材を介してコイルの熱を外部に良好に伝えられるため、放熱性により優れる。
【００２２】
（６）上記のリアクトルの一例として、上記コイルが隣り合うターン同士を接合する熱融着樹脂部を備える形態が挙げられる。
【００２３】
上記形態は、熱融着樹脂部によってターン間が接合されると共に埋められるため、例えば上述の絶縁介在部を備えていない場合でも原料混合物を充填し易く、製造性により優れる。また、この場合、組立部品点数が少ない点からも製造性により優れる。
【００２４】
（７）上記のリアクトルの一例として、上記露出領域に配置された放熱部材を備え、上記コイルが上記放熱部材を接合する熱融着樹脂部を備える形態が挙げられる。
【００２５】
上記形態は、コイルの露出領域に放熱部材が固定されており、コイルの熱を放熱部材に良好に伝えられて放熱性に優れる。また、上記形態は、コイル自体が放熱部材の接合層となる熱融着樹脂部を備えるため、部品点数の増加を招かない。
【００２６】
（８）上記のリアクトルの一例として、上記磁性コアは、上記コイル内に配置される内側コア部と、上記コイルが配置されない外側コア部と、上記外側コア部に設けられるギャップ部とを備える形態が挙げられる。
【００２７】
上記形態は、ギャップ部によって磁気飽和し難く、所望のインダクタンスを良好に確保できる上に、外側コア部にギャップ部を設けるため、成形時に脱気を良好に行えて磁性コアを成形し易く、製造性にも優れる。
【００２８】
（９）上記のリアクトルの一例として、上記複合材料における上記軟磁性粉末の含有量が３０体積％以上８０体積％以下である形態が挙げられる。
【００２９】
上記形態は、軟磁性粉末の含有量が上記の特定の範囲を満たすことで、飽和磁束密度を高めたり、放熱性に優れたりすると共に、原料混合物の流動性に優れて製造性に優れる。
【００３０】
（１０）本発明の一態様に係るリアクトルの製造方法は、コイルと、上記コイルの内外に配置されて閉磁路を形成する磁性コアとを備えるリアクトルを製造する方法に係るものであり、上記リアクトルが上記（１）〜（９）のいずれか一つに記載のリアクトルであり、上記一体成形体を射出成形により形成する成形工程を備える。
【００３１】
上記のリアクトルの製造方法は、一体成形体からなる磁性コアの成形と同時に、コイルと磁性コアとを備えるリアクトルを製造できるため、工程数が少なく、リアクトルを容易に製造できる。特に、射出成形は、注型成形に比較して、原料混合物を隅々まで精度よく充填し易く、複雑な立体形状の成形体を成形し易く、所望の形状の磁性コアを良好に成形できることから、上記のリアクトルの製造方法は、コイルの外周面に露出領域を備えることで放熱性に優れるリアクトルを生産性よく製造できる。
【００３２】
（１１）上記のリアクトルの製造方法の一例として、筒状部を備える絶縁介在部と上記コイルとを組み付けて、上記コイルの内周面を上記筒状部で覆った組物を準備し、上記成形工程では、上記筒状部内に上記複合材料（原料混合物）を充填する形態が挙げられる。
【００３３】
絶縁介在部の筒状部を、磁性コアにおけるコイル内に配置される部分（内側コア部）の成形型に利用して、筒状部内に原料混合物を充填し易く、一体成形体の磁性コアを容易に成形できる。更に、筒状部によってコイルを保護、保形できて、コイルの損傷や変形に起因する歩留りの低下を低減できる。従って、上記形態は、放熱性に優れるリアクトルを容易にかつ生産性よく製造できる。
【００３４】
（１２）上記のリアクトルの製造方法の一例として、上記コイルとして、隣り合うターン同士が熱融着樹脂によって接合されたものを準備し、上記成形工程では、準備した上記コイル内に上記複合材料（原料混合物）を充填する形態が挙げられる。
【００３５】
上記形態は、熱融着樹脂によって隣り合うターン間の隙間が接合されると共に埋められており、コイルの内周面をそのまま成形型に利用できる。そのため、上記形態は、上述の絶縁介在部を備えていなくても、コイル内に原料混合物を充填し易く、一体成形体の磁性コアを容易に成形できる上に、組立部品点数が少なく、放熱性に優れるリアクトルを容易にかつ生産性よく製造できる。
【００３６】
［本発明の実施形態の詳細］
以下、図面を参照して、本発明の実施形態を具体的に説明する。図中の同一符号は同一名称物を示す。以下の説明は、図１に示すリアクトル１Ａの下面，図５に示すリアクトル１Ｂの下面が設置面となる場合を説明する。この設置状態は例示であり、リアクトル１Ａ，１Ｂの側面や上面を設置面とすることができる。
【００３７】
［実施形態１］
図１〜図４を参照して、実施形態１のリアクトル１Ａを説明する。
（リアクトル）
・全体構成
実施形態１のリアクトル１Ａは、図１に示すようにコイル２Ａと、コイル２Ａの内外に配置される磁性コア３Ａとを備える。リアクトル１Ａは、コンバータケースなどの設置対象（図示せず）に取り付けられて使用される。
【００３８】
実施形態１のリアクトル１Ａは、磁性コア３Ａが、軟磁性粉末と樹脂とを含む複合材料（軟磁性複合材料）から構成された一体成形体であることを特徴の一つとする。また、リアクトル１Ａは、コイル２Ａの外周面の少なくとも一部、この例では後述する巻回部２ａ，２ｂの外周面の実質的に全域が磁性コア３Ａに覆われずに露出されていることを特徴の一つとする。以下、構成要素ごとに詳細に説明する。
【００３９】
・コイル
コイル２Ａは、図１，図４に示すように１本の巻線２ｗを螺旋状に巻回してなる筒状の巻回部２ａと、別の１本の巻線２ｗを螺旋状に巻回してなる筒状の巻回部２ｂと、各巻回部２ａ，２ｂの一端部同士を接合した連結部２ｊとを備える。巻回部２ａ，２ｂは、その軸が平行するように並列（横並び）されている。
両巻回部２ａ，２ｂの一端部及びその近傍は両巻回部２ａ，２ｂの外周面（ここでは上面）から離れるように引き出され、両巻回部２ａ，２ｂの一端部が接するように、一方の巻回部２ａの一端部の近傍を他方の巻回部２ｂの一端部に向かって折り曲げている。そのため、図１に示す連結部２ｊは、磁性コア３Ａの外周面（ここでは上面）と干渉しない。一端部同士の接合には、溶接や圧接などが利用できる。その他、一端部同士の接合には、別途、銅などの導電性材料からなる連結材（図示せず）を用いることができる。
巻回部２ａ，２ｂの他端部はいずれも、巻回部２ａ，２ｂから適宜な方向に引き出されており、端子金具（図示せず）などが取り付けられて電源などの外部装置（図示せず）に電気的に接続される。
【００４０】
この例の巻線２ｗは、銅などからなる導体線と、導体線の外周を覆うポリアミドイミドなどからなる絶縁被覆とを備える断面長方形状の被覆平角線である。各巻回部２ａ，２ｂは同一形状、同一の大きさのエッジワイズコイルである。具体的には、各巻回部２ａ，２ｂは角部を丸めた四角筒状体であり（図４）、その外周面は角部に配置される四つの湾曲面と、湾曲面間を繋ぐ四つの平面とを有する。四つの平面のうち、下面は、設置対象に向かい合って配置されるコイル２Ａの設置面であり、この例では後述する放熱部材６（図１）に接するように配置される。放熱部材６は、設置対象に接して配置されるため、コイル２Ａの設置面は、設置対象に近接配置される。
【００４１】
この例のコイル２Ａでは、巻回部２ａ，２ｂの端面が外側コア部３２Ａの内面に覆われるものの、巻回部２ａ，２ｂの外周面の実質的に全域が磁性コア３Ａで覆われず露出されて露出領域をなす。つまり、この例のコイル２Ａの露出領域は、上述のコイル２Ａの設置面だけでなく、残りの三つの平面も含む。そのため、コイル２Ａは、設置対象を含めた外部に十分に放熱できる。
【００４２】
・磁性コア
磁性コア３Ａは、図１に示すようにコイル２Ａの巻回部２ａ，２ｂ内にそれぞれ配置される内側コア部３１ａ，３１ｂと、コイル２Ａが配置されない外側コア部３２Ａとを備えて、コイル２Ａが励磁されると閉磁路を形成する。この例の外側コア部３２Ａは、図２に示すように、内側コア部３１ａ，３１ｂの一端部にそれぞれ連続する個別端部３２ａ，３２ｂと、両内側コア部３１ａ，３１ｂの他端部に連続し、両部３１ａ，３１ｂを繋ぐ連結端部３２ｃと、ギャップ部３ｇとを備える。個別端部３２ａ，３２ｂ同士は接続されず、両者間には隙間を有する。この隙間をギャップ部３ｇとする。磁性コア３Ａは、この外側コア部３２Ａと、内側コア部３１ａ，３１ｂとが軟磁性複合材料によって一体に成形されており、平面視П字状である。
【００４３】
・・構成材料
磁性コア３Ａを構成する軟磁性複合材料は、軟磁性粉末と樹脂とを含む。
軟磁性粉末を構成する粒子は、純鉄などの鉄族金属や鉄基合金（Ｆｅ−Ｓｉ合金、Ｆｅ−Ｎｉ合金など）などの軟磁性金属からなる金属粒子や、金属粒子の外周にリン酸塩などで構成される絶縁被覆を備える被覆粒子、フェライトなどの非金属材料からなる粒子などが挙げられる。
【００４４】
軟磁性複合材料中の軟磁性粉末の含有量は、３０体積％以上８０体積％以下が挙げられる。上記含有量が多いほど、飽和磁束密度の向上、放熱性の向上が期待でき、下限を５０体積％以上、更に５５体積％以上、６０体積％以上とすることができる。上記含有量がある程度小さいと、軟磁性複合材料の原料（原料混合物）を成形型に充填する際に流動性に優れて成形型に充填し易く、製造性の向上が期待でき、上限を７５体積％以下、更に７０体積％以下とすることができる。
【００４５】
軟磁性粉末の平均粒径は、例えば、１μｍ以上１０００μｍ以下、更に１０μｍ以上５００μｍ以下が挙げられる。
【００４６】
軟磁性複合材料中の樹脂は、例えば、エポキシ樹脂、フェノール樹脂、シリコーン樹脂、ウレタン樹脂などの熱硬化性樹脂、ポリフェニレンスルフィド（ＰＰＳ）樹脂、ポリアミド（ＰＡ）樹脂（例えば、ナイロン６、ナイロン６６、ナイロン９Ｔなど）、液晶ポリマー（ＬＣＰ）、ポリイミド樹脂、フッ素樹脂などの熱可塑性樹脂、常温硬化性樹脂、低温硬化性樹脂などが挙げられる。その他、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなどを利用できる。
【００４７】
軟磁性複合材料は、軟磁性粉末及び樹脂に加えて、アルミナやシリカなどのセラミックスといった非磁性材料からなるフィラー粉末を含有することができる。この場合、例えば放熱性を高められる。軟磁性複合材料中のフィラー粉末の含有量は、０．２質量％以上２０質量％以下、更に０．３質量％以上１５質量％以下、０．５質量％以上１０質量％以下が挙げられる。
【００４８】
・・形状
この例の磁性コア３Ａを構成する内側コア部３１ａ，３１ｂ、外側コア部３２Ａである個別端部３２ａ，３２ｂ，連結端部３２ｃはいずれも直方体状である（図１〜図３）。内側コア部３１ａ，３１ｂは同一形状、同一サイズであり、個別端部３２ａ，３２ｂも同一形状、同一サイズである。連結端部３２ｃは、図１，図２に示すように個別端部３２ａ，３２ｂよりも大きい（連結端部３２ｃの幅Ｗ３２ｃ＞個別端部３２ａ，３２ｂの幅Ｗ３２の合計）。
【００４９】
また、この例の磁性コア３Ａに備える外側コア部３２Ａは、その外周面が内側コア部３１ａ，３１ｂの外周面よりも突出する突出箇所を備える。この例では、個別端部３２ａ，３２ｂ，連結端部３２ｃのいずれもが、内側コア部３１ａ，３１ｂの周縁の全域に亘って、周縁から外方に突出する突出箇所が存在する。
【００５０】
詳しくは、図２に示すように、個別端部３２ａ，３２ｂ，連結端部３２ｃは、内側コア部３１ａ，３１ｂの外周面に対して、内側コア部３１ａ，３１ｂの軸方向（図２では上下方向）に直交し、かつ内側コア部３１ａ，３１ｂの並列方向（図２では左右方向）に突出する突出箇所を有する。個別端部３２ａ，３２ｂの幅Ｗ３２は、内側コア部３１ａ，３１ｂの幅Ｗ３１よりも大きい。
【００５１】
また、図３に示すように、個別端部３２ａ，３２ｂ，連結端部３２ｃは、内側コア部３１ａ，３１ｂの外周面に対して、内側コア部３１ａ，３１ｂの軸方向（図３では左右方向）に直交し、かつ設置対象に直交する方向（図３では上下方向）に突出する突出箇所を有しており、磁性コア３Ａは側面視Ｈ字状である。個別端部３２ａ，３２ｂ，連結端部３２ｃの高さｈ３２は、内側コア部３１ａ，３１ｂの高さｈ３１よりも大きい。
【００５２】
この例では、連結端部３２ｃの幅Ｗ３２（＝２×Ｗ３１＋ギャップ部３ｇの間隔）とコイル２Ａの幅とが実質的に等しくなるように、幅Ｗ３１，Ｗ３２などを調整している。また、個別端部３２ａ，３２ｂ，連結端部３２ｃの設置面（下面）及びその対向面（上面）とコイル２Ａの巻回部２ａ，２ｂの設置面（下面）及びその対向面（上面）とが実質的に面一になるように、高さｈ３１，ｈ３２を調整している。このようなリアクトル１Ａの外形は、幅Ｗ３２ｃ、高さｈ３２を有する直方体状であり（図１）、リアクトル１Ａの設置面は、コイル２Ａの設置面と磁性コア３Ａの外側コア部３２Ａの設置面とで形成される。
【００５３】
・・ギャップ部
この例の外側コア部３２Ａは、両個別端部３２ａ，３２ｂの対向面間に設けられる隙間をギャップ部３ｇとする。隙間の大きさは、リアクトル１Ａが所望のインダクタンスを有するように適宜選択するとよい。
【００５４】
ギャップ部３ｇは、図１に示すようにエアギャップにする他、軟磁性複合材料よりも比透磁率が低い材料から構成されるギャップ材（図示せず）を備えることができる。ギャップ材の構成材料は、例えば、アルミナなどのセラミックスや、樹脂（例えば、ＰＰＳ樹脂）などの非磁性材料、軟磁性粉末と樹脂とを含む複合材、各種のゴムといった弾性材などが挙げられる。ギャップ材は上記個別端部３２ａ，３２ｂ間の隙間に挿入配置する他、磁性コア３Ａの成形時に一体成形することもできる。
【００５５】
・・その他の部材
・・・絶縁介在部
この例のリアクトル１Ａは、コイル２Ａの巻回部２ａ，２ｂと磁性コア３Ａの内側コア部３１ａ，３１ｂとの間に介在される絶縁介在部５Ａを備える。絶縁介在部５Ａは、絶縁材料から構成されて巻回部２ａ，２ｂと内側コア部３１ａ，３１ｂとの間の絶縁性を高める。更に、リアクトル１Ａでは、その製造過程で絶縁介在部５Ａを成形型として利用する。
【００５６】
絶縁介在部５Ａの材質、形状、大きさなどは適宜選択できる。この例の絶縁介在部５Ａは、図４に示すようにコイル２Ａの軸方向に分割可能な一対の分割材５０α，５０βを組み合わせて一体とする構成である。この構成により、コイル２Ａに絶縁介在部５Ａを容易に組み付けられてリアクトル１Ａの製造性に優れる。
【００５７】
分割材５０α，５０βは基本的構成が共通しており、コイル２Ａの巻回部２ａ，２ｂと磁性コア３Ａの内側コア部３１ａ，３１との間に介在される短い筒状部５１，５１と、一対の筒状部５１，５１が突設された枠板部５２とを備える。枠板部５２は、巻回部２ａ，２ｂの端面と外側コア部３２Ａ（個別端部３２ａ，３２ｂ又は連結端部３２ｃ）の内面との双方に接して配置される。枠板部５２には一対の開口部５２ｈ，５２ｈが離間して設けられており、開口部５２ｈをつくる周縁に筒状部５１が連結される。枠板部５２は、巻回部２ａ，２ｂの端面と外側コア部３２Ａの内面との間に介在されて、両者の絶縁性を高める。
【００５８】
分割材５０α，５０βを組み合わせてできる並列された一連の筒状部５１，５１はそれぞれ、リアクトル１Ａの製造過程で、内側コア部３１ａ，３１ｂの成形型として利用し、各枠板部５２は、外側コア部３２Ａの内面を形成する成形型として利用する。そのため、絶縁介在部５Ａは原料混合物が漏出しない成形体とする。具体的には、上記一連の筒状部５１，５１の外周面はそれぞれ、コイル２Ａの巻回部２ａ，２ｂの内周面の全域を覆うものとする。また、この例の絶縁介在部５Ａは、両分割材５０α，５０βが相互に係合可能であり、コイル２Ａに組み付けた場合に係合状態を維持できる構成とする。ここでは、一方の分割材５０αの筒状部５１，５１の他端部と、他方の分割材５０βの筒状部５１，５１の他端部とが嵌め合い可能な段差形状になっている。係合された一連の筒状部５１，５１によって、原料混合物がコイル２Ａの巻回部２ａ，２ｂを形成するターン間に漏れ出ることを防止できる。枠板部５２の大きさは連結端部３２ｃの一面の大きさに等しく（Ｗ３２ｃ×ｈ３２）、並列された巻回部２ａ，２ｂの各端面を十分に覆うことができる大きさとしている（図１）。
【００５９】
絶縁介在部５Ａの構成材料は、絶縁性に優れる樹脂、例えば、ＰＰＳ樹脂、ポリテトラフルオロエチレン（ＰＴＦＥ）樹脂、ＬＣＰ、ＰＡ樹脂、ポリブチレンテレフタレート（ＰＢＴ）樹脂などの熱可塑性樹脂が挙げられる。絶縁介在部５Ａは、射出成形などの公知の成形方法を利用して、所望の形状のものを容易に製造できる。
【００６０】
・・・放熱部材
この例のリアクトル１Ａは、コイル２Ａの巻回部２ａ，２ｂの露出領域に配置された放熱部材６を備える。この例の放熱部材６は、平板材であり、その一面（ここでは上面）を、コイル２Ａの設置面及び磁性コア３Ａの設置面を一体に支持する支持面とする（図１，図３）。この支持面の対向面（ここでは下面）を設置対象への取付面とする。図１では、放熱部材６の支持面の大きさが、コイル２Ａの設置面及び磁性コア３Ａの設置面の合計面積に実質的に等しい場合を示す。
【００６１】
放熱部材６は、コイル２Ａの設置面の他、コイル２Ａの露出領域の任意の位置に、任意の大きさのものを配置できる。例えば、巻回部２ａ，２ｂの設置面に代えて、又は設置面と共に、側面や設置面との対向面（上面）に放熱部材６を配置できる。放熱部材６の形状、大きさは、露出領域などに応じて適宜変更できる。例えば、表面積を更に増大するために、フィンを備えることや、ターン間に介在する櫛歯部を備えることなどができる。
【００６２】
放熱部材６の構成材料は、熱伝導性に優れる材料を適宜選択できる。例えば、アルミナといったセラミックスなどの非金属であれば、コイル２Ａなどとの絶縁性にも優れる。又は、アルミニウムやアルミニウム合金などの金属であれば、熱伝導率が高く放熱性に優れる。金属製の放熱部材６である場合にはコイル２Ａの露出領域との接触箇所に絶縁層を備えることができる。
【００６３】
放熱部材６は、コイル２Ａの露出領域に接着剤などからなる接合層（図示せず）で接合されて固定されていると、所定の位置からずれ難い。接着剤が絶縁性のものであると、金属製の放熱部材６であっても、コイル２Ａとの間の絶縁性を高められる。
【００６４】
その他、巻線２ｗとして、熱融着樹脂（後述の実施形態３参照）から構成される熱融着層を有するものを利用できる。この場合、適宜な時期にコイル２Ａを加熱して熱融着層を溶融し、熱融着樹脂部によって放熱部材６をコイル２Ａに固定できる。コイル２Ａの露出領域と放熱部材６との間に介在する熱融着樹脂部（図示せず）を放熱部材６の接合に利用すれば、コイル２Ａ自体が接合層を備えるため、接着剤などによる接合層を省略できる。
【００６５】
・・・センサ
その他、リアクトル１Ａは、温度センサ、電流センサ、電圧センサ、磁束センサなどのリアクトルの物理量を測定するセンサ（図示せず）を備えることができる（後述する実施形態２なども同様）。
【００６６】
（リアクトルの製造方法）
実施形態１のリアクトル１Ａは、所定の形状の成形型に配置されたコイル２Ａの内外に原料混合物を充填し、一体成形体の磁性コア３Ａを成形することで製造できる。実施形態のリアクトルの製造方法として、上記一体成形体を射出成形により形成する成形工程を備えることが挙げられる。より具体的な製造方法として、コイル２Ａを準備する準備工程と、コイル２Ａを成形型に配置する配置工程と、原料混合物を成形型内のコイル２Ａの内外に充填して、複合材料から構成される一体成形体を成形する成形工程と、成形型から、コイル２Ａと、一体成形体から形成される磁性コア３Ａとを備えるリアクトル１Ａを取り出す脱型工程とを備えることが挙げられる。以下に各工程の詳細を説明する。
【００６７】
・準備工程
この工程では、巻線２ｗを巻回して作製したコイル２Ａを用意する。巻線２ｗの両端部は巻回方向に沿って伸ばしたままとし、磁性コア３Ａの成形後、適宜、屈曲や、連結部２ｊの形成などを行うことができる。この場合、例えば、巻線２ｗの端部を挿通する貫通孔を備える成形型を用意すれば、巻線２ｗの端部を成形型外に配置した状態で磁性コア３Ａを成形でき、巻線２ｗの端部が邪魔にならず成形し易い。絶縁介在部５Ａを備えるリアクトル１Ａを製造する場合、上述の筒状部５１を備える絶縁介在部５Ａを用意して、分割材５０α，５０βとコイル２Ａとを組み付けて、即ち、巻回部２ａ，２ｂ内に筒状部５１を挿入して巻回部２ａ，２ｂの内周面を上述の一連の筒状部５１，５１で覆った組物を準備する。
【００６８】
・配置工程
この工程では、所定の形状の磁性コア３Ａを成形可能な成形型を用意して、コイル２Ａをこの成形型に配置する。絶縁介在部５Ａを備えるリアクトル１Ａを製造する場合、上述の組物を成形型に配置する。原料混合物の充填時に成形型内で位置がずれないようにコイル２Ａや組物を適宜支持することが好ましい。成形型は、例えば、コイル２Ａの外周面の少なくとも一部が一体成形体である磁性コア３Ａに覆われず、露出させるものを利用できる。このような成形型として、例えば、上下に分割可能なものであり、一方の型は、矩形の箱体であって、コイル２Ａ又は組物の配置空間と、個別端部３２ａ，３２ｂの外周面を形成する内壁と、この内壁から立設されてギャップ部３ｇを成形する仕切りと、連結端部３２ｃの外周面を形成する内壁とを備えるものが挙げられる。この例では、この成形型と共に、上述のように絶縁介在部５Ａも磁性コア３Ａの成形に利用することで、上記一方の型を単純な形状にできて、組物を容易に配置できる。ギャップ材を磁性コア３Ａに一体成形したリアクトルを製造する場合には、成形型にギャップ材も配置して磁性コア３Ａの成形と同時に一体化することができる。
【００６９】
・成形工程
この工程では、軟磁性粉末と樹脂とを含む複合材料の原料（原料混合物）を用意して成形型に充填し、固化することで、上記複合材料から構成され、コイル２Ａの内外に配置される磁性コア３Ａを成形する。磁性コア３Ａの成形には、射出成形やＭＩＭ（Ｍｅｔａｌ  Ｉｎｊｅｃｔｉｏｎ  Ｍｏｌｄｉｎｇ）、注型成形などの種々の方法を利用できる。特に射出成形やＭＩＭは、複雑な三次元形状の成形型に対して原料混合物、代表的には溶融状態にあって流動性を有するものを隅々まで良好に充填でき、所望の形状の成形体を高精度に成形できて好ましい。絶縁介在部５Ａを備えるリアクトル１Ａを製造する場合、両分割材５０α，５０βがつくる並列された一連の筒状部５１，５１内に原料混合物を充填する。こうすることで、一連の筒状部５１，５１の内面にそれぞれ接して、内側コア部３１ａ，３１ｂを成形できる。
【００７０】
ギャップ部３ｇを備える磁性コア３Ａを成形するには、ギャップ部３ｇの形成位置から遠い位置に原料混合物の充填開始箇所を設けることが挙げられる。図４の黒矢印は、原料混合物の充填経路を模式的に示す。例えば、図４に示すように成形型に配置された一方の分割材５０βの枠状部５２に備える両開口部５２ｈの近傍を原料混合物の充填開始箇所とし、他方の分割材５０αの枠状部５２に直交するように配置される仕切りを原料混合物の充填終了箇所として、原料混合物の充填を行うことが挙げられる。このようにギャップ部３ｇから遠い位置を原料混合物の充填開始箇所とし、ギャップ部３ｇ（個別端部３２ａ，３２ｂの対向面）を成形する仕切りの近傍を原料混合物の充填終了箇所とする１点ゲートとすることで脱気し易く、ボイドの含有などを抑制できる。成形型には、ギャップ部３ｇの成形箇所近くに脱気孔を設けておくとよい。充填開始箇所では連結端部３２ｃが、充填終了箇所では個別端部３２ａ，３２ｂがそれぞれ成形され、上述の並列された一連の筒状部５１，５１内では内側コア部３１ａ，３１ｂがそれぞれ成形され、これらが一体になっている。
【００７１】
・脱型工程
成形工程によって、磁性コア３Ａが成形されると共に、磁性コア３Ａ、適宜絶縁介在部５Ａによってコイル２Ａが支持された一体物を成形でき、脱型工程では、成形型からこの一体物を取出すことで、コイル２Ａと磁性コア３Ａとを備えるリアクトル１Ａが得られる。
【００７２】
・その他の工程
脱型した一体物について、コイル２Ａの露出領域に、適宜、放熱部材６を接合などすると、放熱部材６が接合されたリアクトル１Ａが得られる。
【００７３】
（主要な効果）
実施形態１のリアクトル１Ａは、内側コア部３１ａ，３１ｂと外側コア部３２Ａとを備える磁性コア３Ａが一体成形体であるため、組立部品点数及び工程数が少なく、製造性に優れる。この例のリアクトル１Ａは、外側コア部３２Ａが内側コア部３１ａ，３１ｂよりも突出した突出箇所を有するといった三次元形状であるものの、磁性コア３Ａが射出成形によって成形されることで、容易にかつ精度よく成形できて製造性に優れる。
【００７４】
かつ、実施形態１のリアクトル１Ａは、コイル２Ａが放熱領域として機能する露出領域を有するため、コイル２Ａの熱を外部に容易に伝えられて放熱性に優れる。この例のリアクトル１Ａは、以下の点から、放熱性により優れる。
１．巻回部２ａ，２ｂの実質的に全域が露出領域であり、放熱領域が十分に広い。
２．露出領域がコイル２Ａの設置面を含んでおり、設置対象に放熱できる。設置対象が冷却構造を備える場合には、コイル２Ａの設置面を設置対象によって十分に冷却できる。
３．コイル２Ａの設置面に放熱部材６が配置されて、この設置面と設置対象との間に放熱部材６が介在して、設置対象により良好に放熱できる。
４．外側コア部３２Ａが突出箇所を有しており、外側コア部３２Ａの表面積が広い。
５．上記突出箇所が設置面を有しており、磁性コア３Ａも設置対象に放熱できる。
６．上記突出箇所の設置面に放熱部材６が配置されて、磁性コア３Ａから設置対象への放熱をより良好に行える。
【００７５】
その他、この例のリアクトル１Ａは、絶縁介在部５Ａを備えて、絶縁介在部５Ａをリアクトル１Ａの製造過程で磁性コア３Ａの成形型に利用できる他、以下の効果を奏する。
１．コイル２Ａの巻回部２ａ，２ｂと磁性コア３Ａの内側コア部３１ａ，３１ｂとの間の絶縁性に優れる。
２．磁性コア３Ａの成形時にコイル２Ａを機械的に保護できる。
３．磁性コア３Ａの成形時に巻回部２ａ，２ｂを構成するターン間から原料混合物が漏出することを防止できる。
【００７６】
更に、この例のリアクトル１Ａは、以下の効果を奏する。
１．外側コア部３２Ａにギャップ部３ｇを備えるため、成形時に脱気を良好に行えて、ボイドなどの欠陥が少ない磁性コア３Ａを備えることができる。
２．外側コア部３２Ａが突出箇所を有することで、外側コア部３２Ａにおけるコイル２Ａの軸方向に沿った長さを、突出箇所を有さない場合に比較して短くでき、小型化を図ることができる。
３．磁性コア３Ａが設置面を有することで、設置状態の安定性に優れる。
【００７７】
実施形態のリアクトルの製造方法は、上述の放熱性に優れるリアクトル１Ａを、少ない工程数で製造できる。この例では、絶縁介在部５Ａを成形型の一部に利用することで、内側コア部３１ａ，３１ｂを容易にかつ高精度に成形できる上に、上述のように磁性コア３Ａの成形時にコイル２Ａを機械的に保護できて、コイル２Ａの損傷などに起因する不良の発生を低減でき、リアクトル１Ａを生産性よく製造できる。
【００７８】
［実施形態２］
図５〜図８を参照して、実施形態２のリアクトル１Ｂを説明する。
実施形態１では、コイル２Ａが二つの巻回部２ａ，２ｂを有し、磁性コア３Ａが二つの内側コア部３１ａ，３１ｂと一つのギャップ部３ｇとを有するものを説明した。実施形態２のリアクトル１Ｂは、コイル２Ｂと、コイル２Ｂの内外に配置されて閉磁路を形成する磁性コア３Ｂとを備え、この磁性コア３Ｂが内側コア部３１と外側コア部３２Ｂとを備え、軟磁性複合材料から構成された一体成形体である点が実施形態１と共通する。リアクトル１Ｂは、コイル２Ｂが巻回部を一つのみ備える点、磁性コア３ＢがいわゆるＥＥ型コアに類する点が実施形態１と相違する。以下、これら相違点を詳細に説明し、共通する構成及び効果の詳細な説明を省略する。
【００７９】
（リアクトル）
・コイル
コイル２Ｂは、図８に示すように１本の巻線２ｗを螺旋状に巻回してなる筒状の一つの巻回部を備える。巻線２ｗの各端部は、巻回部から適宜な方向に引き出されている。図８では、巻線２ｗの両端部が巻回部の同一端面側に配置された例を示す。この例のコイル２Ｂの巻回部は、実施形態１のコイル２Ａと同様に、被覆平角線で形成されたエッジワイズコイルであって角部を丸めた四角筒状体であり、その外周面として四つの平面を有し、下面がコイル２Ｂの設置面である。
【００８０】
この例のコイル２Ｂは、図５に示すように巻回部の端面、及び外周面の四つの平面のうち、設置面に直交する二面の大半は、外側コア部３２Ｂの内面に覆われるものの、設置面（下面）及びその対向面（上面）は、磁性コア３Ｂで覆われず露出されて露出領域をなす。コイル２Ｂは、露出領域に設置面を含むことで、実施形態１と同様に、設置対象を含めた外部に十分に放熱できる。
【００８１】
・磁性コア
磁性コア３Ｂは、図５に示すようにコイル２Ｂの巻回部内に配置される内側コア部３１と、コイル２Ｂが配置されない外側コア部３２Ｂとを備える。この例の外側コア部３２Ｂは、図６に示すように、内側コア部３１の各端部に連続する連結端部３２ｃ，３２ｃと、両連結端部３２ｃの一側縁を繋ぎ、内側コア部３１の軸方向（図６では上下方向）に平行に配置される一体外周部３２ｓと、各連結端部３２ｃ，３２ｃの他側縁に連続し、一体外周部３２ｓに対向配置される個別外周部３２ｓ１，３２ｓ２と、ギャップ部３ｇとを備える。磁性コア３Ｂは、この外側コア部３２Ｂと、内側コア部３１とが軟磁性複合材料によって一体に成形されたＥＥ型コアに類する形状のコアである。
【００８２】
この例の磁性コア３Ｂを構成する内側コア部３１、外側コア部３２Ｂである連結端部３２ｃ，３２ｃ，一体外周部３２ｓ，個別外周部３２ｓ１，３２ｓ２はいずれも直方体状である（図５〜図７）。二つの連結端部３２ｃ，３２ｃは同一形状、同一サイズであり、個別外周部３２ｓ１，３２ｓ２も同一形状、同一サイズである。ギャップ部３ｇは、両個別外周部３２ｓ１，３２ｓ２間に設けられた隙間である。このギャップ部３ｇの大きさと個別外周部３２ｓ１，３２ｓ２の合計長さ（図６において上下方向の長さ）との合計は、一体外周部３２ｓの長さ（同）に等しくなるように調整している。
【００８３】
なお、ギャップ部３ｇがエアギャップであれば、コイル２Ｂの巻回部の外周面の一部は、両個別外周部３２ｓ１，３２ｓ２間の隙間から露出されるものの、この部分（巻回部の軸方向の中央部分）も非常に小さく、放熱領域として十分に機能しないと考えられる。そこで、実施形態２のリアクトル１Ｂでは、エアギャップを備える場合であってもエアギャップ以外の領域、ここでは上述のように設置面及びその対向面などを積極的に露出して、放熱領域を十分に有する構成とする。コイル２Ｂの露出領域は、エアギャップを備える場合にエアギャップに基づく露出箇所よりも十分に広い領域とし、磁性コア３Ｂの形状によるものの、コイル２Ｂの外周面の１／４以上、更に１／２以上の面積を有することが好ましい。
【００８４】
この例の磁性コア３Ｂは、実施形態１の磁性コア３Ａと同様に、外側コア部３２Ｂの外周面が内側コア部３１の外周面よりも突出する突出箇所を備える。連結端部３２ｃ，３２ｃのいずれもが、内側コア部３１の周縁の全域に亘って、周縁から外方に突出する突出箇所を備える。図６では内側コア部３１の軸方向に直交する方向に突出する部分を示す。これら連結端部３２ｃ，３２ｃに連続する一体外周部３２ｓ，個別外周部３２ｓ１，３２ｓ２の高さも、内側コア部３１の高さよりも高い（図７）。
【００８５】
更に、連結端部３２ｃ，３２ｃ，外周部３２ｓ，３２ｓ１，３２ｓ２の設置面（下面）及びその対向面（上面）とコイル２Ｂの巻回部の設置面（下面）及びその対向面（上面）とが実質的に面一になるように、コア部３１，３２Ｂの高さを調整している。このようなリアクトル１Ｂの外形は、直方体状であり（図５）、リアクトル１Ｂの設置面は、コイル２Ｂの設置面と磁性コア３Ｂの外側コア部３２Ｂの設置面とで形成される。
【００８６】
・絶縁介在部
この例のリアクトル１Ｂは、実施形態１と同様に、コイル２Ｂと磁性コア３Ｂの内側コア部３１との間に介在される絶縁介在部５Ｂを備える。絶縁介在部５Ｂの基本的構成、構成材料、機能や用途などは、実施形態１の絶縁介在部５Ａと同様である。概略構成を述べると、絶縁介在部５Ｂは、図８に示すように一対の分割材５０γ，５０δを組み合わせて一体とする組物である。各分割材５０γ，５０δは一つの筒状部５１と枠板部５２とを有する。両分割材５０γ，５０δの筒状部５１，５１同士が互いに係合する構成である。一連の筒状部５１，５１は、内側コア部３１の成形型に利用され、枠板部５２，５２は、連結端部３２ｃ，３２ｃの成形型に利用される。
【００８７】
・放熱部材
この例のリアクトル１Ｂは、実施形態１と同様に、コイル２Ｂの露出領域に配置された放熱部材６を備える。この例の放熱部材６は、実施形態１と同様に平板材であり、コイル２Ｂの設置面に接合層によって固定され、コイル２Ｂ及び磁性コア３Ｂと設置対象との間に介在する。
【００８８】
（リアクトルの製造方法）
実施形態２のリアクトル１Ｂは、例えば、実施形態１で説明した製造方法によって製造できる。特に、絶縁部材５Ａを備える場合について参照するとよく、詳細は省略する。
【００８９】
特に、ギャップ部３ｇを備える磁性コア３Ｂを成形するには、例えば、以下の成形型を利用することができる。この成形型は、上下に分割可能なものであり、一方の型は、矩形の箱体であって、コイル２Ｂを配置する空間と、連結端部３２ｃ，３２ｃの外周面及び各外周部３２ｓ，３２ｓ１，３２ｓ２の外周面を成形する内壁と、一体外周部３２ｓの内周面を成形する一体用成形壁と、個別外周部３２ｓ１，３２ｓ２の内周面を成形する個別用成形壁と、これら個別用成形壁と上記内壁との間に設けられてギャップ部３ｇ（個別外周部３２ｓ１，３２ｓ２の対向面）を成形する仕切りとを備えるものが挙げられる。この例では、実施形態１と同様にこの成形型と共に、絶縁介在部５Ｂも磁性コア３Ｂの成形に利用する。磁性コア３Ｂの成形も、ギャップ部３ｇの形成位置から遠い位置に原料混合物の充填開始箇所を設けた１点ゲートとすると、脱気し易くボイドの含有などを抑制できる。図８の黒矢印は、原料混合物の充填経路を模式的に示す。図８では、コイル２Ｂの外周面のうち、設置面（下面）に直交する一側面において、コイル２Ｂの軸方向の中央部分を原料混合物の充填開始箇所とし、上記一側面に対向する他側面のうち、上述の仕切りが配置される近傍を充填終了箇所とし、各分割材５０γ，５０δの枠状部５２の近傍を原料混合物の分岐箇所として、絶縁介在部５Ｂの筒状部５１，５１内と、上述の仕切りの近傍に至るように、原料混合物の充填を行うことが挙げられる。
【００９０】
（主要な効果）
実施形態２のリアクトル１Ｂは、実施形態１と同様に、内側コア部３１と外側コア部３２Ｂとを備える磁性コア３Ｂが一体成形体であるため、組立部品点数及び工程数が少なく製造性に優れる。この例のリアクトル１Ｂは、外側コア部３２Ｂが突出箇所を有する三次元形状であるものの、磁性コア３Ｂが射出成形によって成形されることで、容易にかつ精度よく成形できて、製造性に優れる。
【００９１】
かつ、実施形態２のリアクトル１Ｂは、実施形態１と同様に、コイル２Ｂが放熱領域として機能する露出領域を有するため、放熱性に優れる。この例のリアクトル１Ｂは、（１）コイル２Ｂの設置面及びその対向面を露出領域に含むこと、（２）放熱部材６を有すること、（３）外側コア部３２Ｂが突出箇所及び設置面を有することから、放熱性により優れる。
【００９２】
その他、この例のリアクトル１Ｂは、実施形態１と同様に絶縁介在部５Ｂを備える効果（良好な絶縁性、コイル２Ｂの機械的保護、原料混合物の漏出防止）、外側コア部３２Ｂにギャップ部３ｇを有する効果（ボイドの抑制）、外側コア部３２Ｂが突出箇所を有する効果（小型化、設置状態の安定化）を図ることができる。
【００９３】
［実施形態３］
実施形態１，２のリアクトル１Ａ，１Ｂに備える絶縁介在部５Ａ，５Ｂに代えて、又は絶縁介在部５Ａ，５Ｂと共に、コイル２Ａ，２Ｂが隣り合うターン同士を接合する熱融着樹脂部（図示せず）を備えることができる。
【００９４】
この形態では、巻線２ｗとして熱融着層を有するものを利用する。巻線２ｗを適宜巻回した後、適宜な時期に加熱して熱融着層を溶融して、隣り合うターン同士を熱融着樹脂によって接合する。このコイルは、ターン間に熱融着樹脂部が介在するため、ターン同士が実質的にずれず、コイルが変形し難い。
【００９５】
熱融着層を構成する熱融着樹脂は、例えば、エポキシ樹脂、シリコーン樹脂、不飽和ポリエステルなどの熱硬化性樹脂が挙げられる。
【００９６】
絶縁介在部材５Ａ，５Ｂを備えていない場合には、上述の熱融着させたコイルを準備して成形型に配置し、このコイルの内外に原料混合物を充填して、磁性コア３Ａや磁性コア３Ｂなどを成形する。隣り合うターン間の隙間が熱融着樹脂によって埋められて、ターン間から原料混合物が露出することが無く、コイルの内周面をそのまま成形型にできる。そのため、この形態は、組立部品点数がより少なく、製造性により優れる。また、絶縁介在部材５Ａ，５Ｂの省略により、小型なリアクトルとすることができる。
【００９７】
熱融着部と、絶縁介在部材５Ａ，５Ｂとを備える場合には、製造過程などでコイルの変形をより防止し易い上に、取り扱い易い。
【００９８】
［変形例］
上述の実施形態１〜３に対して、以下の少なくとも一つの変更が可能である。
（１）一対の巻回部２ａ，２ｂを備えるコイル２Ａとして、１本の連続する巻線２ｗで形成されたものとする。
実施形態１で説明した磁性コア３Ａのように、連結端部３２ｃにおける設置面に対向する一面（上面）がコイル２Ａの設置面に対向する一面（上面）と面一である場合、外側コア部３２Ａの成形時に、両巻回部２ａ，２ｂを繋ぐ部分が邪魔にならないようにすることが好ましい。例えば、両巻回部２ａ，２ｂを繋ぐ部分を巻回部２ａ，２ｂの上方に折り曲げることが挙げられる。
（２）磁性コア３Ａ，３Ｂの内側コア部３１ａ，３１ｂ，３１にギャップ材を備える。
この場合、絶縁介在部５Ａ，５Ｂの一方の分割材５０α，５０γにギャップ材を固定しておく、又は分割材５０α，５０γの筒状部５１の一方の開口部を塞いで有底筒部とし、この底板部をギャップ材とすることが挙げられる。
（３）ギャップ部３ｇを備えてないギャップレスコアとする。
（４）環状の磁性コア３Ａに対して、巻回部を一つのみ備えるコイルを備える。例えば、実施形態１で説明した磁性コア３Ａの一方の内側コア部３１ａにコイルを配置し、他方の内側コア部３１ｂを外側コア部の一部とする。
【００９９】
本発明は、これらの例示に限定されるものではなく、特許請求の範囲によって示され、特許請求の範囲と均等の意味及び範囲内での全ての変更が含まれることが意図される。
【産業上の利用可能性】
【０１００】
本発明のリアクトルは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に利用できる。本発明のリアクトルの製造方法は、上述のリアクトルの製造に利用できる。
【符号の説明】
【０１０１】
１Ａ，１Ｂ  リアクトル
２Ａ，２Ｂ  コイル  ２ａ，２ｂ  巻回部  ２ｊ  連結部  ２ｗ  巻線
３Ａ，３Ｂ  磁性コア  ３ｇ  ギャップ部
３１，３１ａ，３１ｂ  内側コア部  ３２Ａ，３２Ｂ  外側コア部
３２ａ，３２ｂ  個別端部  ３２ｃ  連結端部
３２ｓ１，３２ｓ２  個別外周部  ３２ｓ  一体外周部
５Ａ，５Ｂ  絶縁介在部  ５０α，５０β，５０γ，５０δ  分割材
５１  筒状部  ５２  枠板部  ５２ｈ  開口部
６  放熱部材
【図１】
2017011186.tif 000003
【図２】
2017011186.tif 000004
【図３】
2017011186.tif 000005
【図４】
2017011186.tif 000006
【図５】
2017011186.tif 000007
【図６】
2017011186.tif 000008
【図７】
2017011186.tif 000009
【図８】
2017011186.tif 000010
【手続補正書】
【提出日】平成28年7月4日(2016.7.4)
【手続補正１】
【補正対象書類名】明細書
【補正対象項目名】００５２
【補正方法】変更
【補正の内容】
【００５２】
この例では、連結端部３２ｃの幅Ｗ３２ｃ（＝２×Ｗ３１＋ギャップ部３ｇの間隔）とコイル２Ａの幅とが実質的に等しくなるように、幅Ｗ３１，Ｗ３２ｃなどを調整している。また、個別端部３２ａ，３２ｂ，連結端部３２ｃの設置面（下面）及びその対向面（上面）とコイル２Ａの巻回部２ａ，２ｂの設置面（下面）及びその対向面（上面）とが実質的に面一になるように、高さｈ３１，ｈ３２を調整している。このようなリアクトル１Ａの外形は、幅Ｗ３２ｃ、高さｈ３２を有する直方体状であり（図１）、リアクトル１Ａの設置面は、コイル２Ａの設置面と磁性コア３Ａの外側コア部３２Ａの設置面とで形成される。
【手続補正２】
【補正対象書類名】明細書
【補正対象項目名】００７０
【補正方法】変更
【補正の内容】
【００７０】
ギャップ部３ｇを備える磁性コア３Ａを成形するには、ギャップ部３ｇの形成位置から遠い位置に原料混合物の充填開始箇所を設けることが挙げられる。図４の黒矢印は、原料混合物の充填経路を模式的に示す。例えば、図４に示すように成形型に配置された一方の分割材５０βの枠板部５２に備える両開口部５２ｈの近傍を原料混合物の充填開始箇所とし、他方の分割材５０αの枠板部５２に直交するように配置される仕切りを原料混合物の充填終了箇所として、原料混合物の充填を行うことが挙げられる。このようにギャップ部３ｇから遠い位置を原料混合物の充填開始箇所とし、ギャップ部３ｇ（個別端部３２ａ，３２ｂの対向面）を成形する仕切りの近傍を原料混合物の充填終了箇所とする１点ゲートとすることで脱気し易く、ボイドの含有などを抑制できる。成形型には、ギャップ部３ｇの成形箇所近くに脱気孔を設けておくとよい。充填開始箇所では連結端部３２ｃが、充填終了箇所では個別端部３２ａ，３２ｂがそれぞれ成形され、上述の並列された一連の筒状部５１，５１内では内側コア部３１ａ，３１ｂがそれぞれ成形され、これらが一体になっている。
【手続補正３】
【補正対象書類名】明細書
【補正対象項目名】００８８
【補正方法】変更
【補正の内容】
【００８８】
（リアクトルの製造方法）
実施形態２のリアクトル１Ｂは、例えば、実施形態１で説明した製造方法によって製造できる。特に、絶縁介在部５Ａを備える場合について参照するとよく、詳細は省略する。
【手続補正４】
【補正対象書類名】明細書
【補正対象項目名】００８９
【補正方法】変更
【補正の内容】
【００８９】
特に、ギャップ部３ｇを備える磁性コア３Ｂを成形するには、例えば、以下の成形型を利用することができる。この成形型は、上下に分割可能なものであり、一方の型は、矩形の箱体であって、コイル２Ｂを配置する空間と、連結端部３２ｃ，３２ｃの外周面及び各外周部３２ｓ，３２ｓ１，３２ｓ２の外周面を成形する内壁と、一体外周部３２ｓの内周面を成形する一体用成形壁と、個別外周部３２ｓ１，３２ｓ２の内周面を成形する個別用成形壁と、これら個別用成形壁と上記内壁との間に設けられてギャップ部３ｇ（個別外周部３２ｓ１，３２ｓ２の対向面）を成形する仕切りとを備えるものが挙げられる。この例では、実施形態１と同様にこの成形型と共に、絶縁介在部５Ｂも磁性コア３Ｂの成形に利用する。磁性コア３Ｂの成形も、ギャップ部３ｇの形成位置から遠い位置に原料混合物の充填開始箇所を設けた１点ゲートとすると、脱気し易くボイドの含有などを抑制できる。図８の黒矢印は、原料混合物の充填経路を模式的に示す。図８では、コイル２Ｂの外周面のうち、設置面（下面）に直交する一側面において、コイル２Ｂの軸方向の中央部分を原料混合物の充填開始箇所とし、上記一側面に対向する他側面のうち、上述の仕切りが配置される近傍を充填終了箇所とし、各分割材５０γ，５０δの枠板部５２の近傍を原料混合物の分岐箇所として、絶縁介在部５Ｂの筒状部５１，５１内と、上述の仕切りの近傍に至るように、原料混合物の充填を行うことが挙げられる。
【手続補正５】
【補正対象書類名】明細書
【補正対象項目名】００９６
【補正方法】変更
【補正の内容】
【００９６】
絶縁介在部５Ａ，５Ｂを備えていない場合には、上述の熱融着させたコイルを準備して成形型に配置し、このコイルの内外に原料混合物を充填して、磁性コア３Ａや磁性コア３Ｂなどを成形する。隣り合うターン間の隙間が熱融着樹脂によって埋められて、ターン間から原料混合物が露出することが無く、コイルの内周面をそのまま成形型にできる。そのため、この形態は、組立部品点数がより少なく、製造性により優れる。また、絶縁介在部５Ａ，５Ｂの省略により、小型なリアクトルとすることができる。
【手続補正６】
【補正対象書類名】明細書
【補正対象項目名】００９７
【補正方法】変更
【補正の内容】
【００９７】
熱融着部と、絶縁介在部５Ａ，５Ｂとを備える場合には、製造過程などでコイルの変形をより防止し易い上に、取り扱い易い。
【手続補正７】
【補正対象書類名】図面
【補正対象項目名】図５
【補正方法】変更
【補正の内容】
【図５】
2017011186.tif 000011